(57)【要約】【課題】この発明は、シート部材の折曲げ部に形成された開封部を内容物の取り出しが可能な大きさに開封することができる折曲げ開封包装体を提供することを目的とする。【解決手段】本発明の折曲げ開封包装体１Ａは、シート部材２の折り曲げを補助する折曲げ罫線２１を、シート部材２に形成された折曲げ部１５の両側縁部と、切込み１７における折曲げ部１５の両側縁部と対応する両側周辺部との間に対して折曲げ部１５に沿って付設している。折曲げ罫線２１と直交する方向にシート部材２の折り曲げを補助する折曲げ罫線２１１を、シート部材２における短辺側両縁部に形成されたシール部４１６の両側縁部と、切込み１７におけるシール部４１６の両側縁部と対応する両側周辺部との間に対して折曲げ罫線２１と交差する方向に付設している。【選択図】図１
2018167871.tif 000002
【特許請求の範囲】
【請求項１】
二つ折り状態に折曲げ可能な折曲げ部が一方の面に形成されたシート部材と、該シート部材の他方の面に貼り合わされたフィルム部材と、該部材同士の対向面間に形成された内容物を収容する収容部とを備え、該シート部材の折曲げ動作に伴い開封される開封部が前記折曲げ部に形成された折曲げ開封包装体であって、
前記シート部材の折り曲げを補助する第１折曲げ罫線が、
前記シート部材における前記折曲げ部の両側縁部と、前記開封部における前記折曲げ部の両側縁部と対応する周辺部との間に対して前記折曲げ部に沿って付設され、
前記第１折曲げ罫線と交差する方向に前記シート部材の折り曲げを補助する第２折曲げ罫線が、
前記シート部材における遊端側縁部と、前記開封部における前記シート部材の遊端側縁部と対応する周辺部との間に対して前記第１折曲げ罫線と交差する方向に付設された
折曲げ開封包装体。
【請求項２】
前記シート部材の折曲げ動作に伴い破断し開封される封止材が、
前記折曲げ部における前記開封部が形成された面に対して、
前記折曲げ部に形成された前記開封部と、
前記第１折曲げ罫線及び前記第２折曲げ罫線のうち少なくとも一方の前記開封部の周辺部に付設された端部を覆うように圧着された
請求項１に記載の折曲げ開封包装体。
【請求項３】
前記シート部材が、
前記シート部材と前記フィルム部材とが重ね合わされた方向と反対の方向に向けて張り出した形状に形成された
請求項１又は２に記載の折曲げ開封包装体。
【請求項４】
前記第２折曲げ罫線が、
前記シート部材における前記開封部が形成された部分を中心として放射状に付設された
請求項１〜３のいずれか一つに記載の折曲げ開封包装体。
【請求項５】
前記第２折曲げ罫線が、
前記シート部材の長手方向と平行して該シート部材の短手方向の中央部に付設された
請求項１〜４のいずれか一つに記載の折曲げ開封包装体。
【請求項６】
前記第２折曲げ罫線が、
前記シート部材の長手方向と平行して該シート部材の短手方向に所定間隔を隔てて付設された
請求項１〜５のいずれか一つに記載の折曲げ開封包装体。
【発明の詳細な説明】
【技術分野】
【０００１】
この発明は、例えば液状、ペースト状、粉末状、顆粒状、錠剤状等の内容物を個包装する折曲げ開封包装体に関する。
【背景技術】
【０００２】
現在まで、上述のような内容物を必要な量だけ包装し、内容物を必要に応じて取り出すことができる包装体としては、様々なものが多数提案されており、特許文献１，２に開示の包装体も、このような包装体の一つである。
【０００３】
特許文献１，２の包装体は、半剛性プラスチックで形成されたシート部材と、シート部材の裏面側に形成された内容物を収容する袋状の収容部とを備え、包装体を二つ折り状態に折り曲げる動作に伴い、シート部材の折曲げ部に形成された切込みを開口し、収容部に収容された内容物をシート部材の切込みから取り出す。
【０００４】
しかし、上述の包装体は、二つ折り状態に折り曲げた際にシート部材の切込みが偏平状態に変形するため、例えば液状やペースト状の内容物は、偏平状態に変形された切込みからでも押し出すことができるが、例えば顆粒状や錠剤状の内容物は、偏平状態に変形された切込みよりサイズが大きいため取り出しにくい。
【先行技術文献】
【特許文献】
【０００５】
【特許文献１】特開２００４−０８３１２０号公報
【特許文献２】特開２０１０−５０４８８８号公報
【発明の概要】
【発明が解決しようとする課題】
【０００６】
この発明は、シート部材の折曲げ部に形成された開封部を内容物の取り出しが可能な大きさに開封することができる折曲げ開封包装体を提供することを目的とする。
【課題を解決するための手段】
【０００７】
この発明は、二つ折り状態に折曲げ可能な折曲げ部が一方の面に形成されたシート部材と、該シート部材の他方の面に貼り合わされたフィルム部材と、該部材同士の対向面間に形成された内容物を収容する収容部とを備え、該シート部材の折曲げ動作に伴い開封される開封部が前記折曲げ部に形成された折曲げ開封包装体であって、前記シート部材の折り曲げを補助する第１折曲げ罫線を、前記シート部材における前記折曲げ部の両側縁部と、前記開封部における前記折曲げ部の両側縁部と対応する周辺部との間に対して前記折曲げ部に沿って付設し、前記第１折曲げ罫線と交差する方向に前記シート部材の折り曲げを補助する第２折曲げ罫線を、前記シート部材における遊端側縁部と、前記開封部における前記シート部材の遊端側縁部と対応する周辺部との間に対して前記第１折曲げ罫線と交差する方向に付設したことを特徴とする。
【０００８】
この発明によれば、シート部材の折曲げ部に形成された開封部を内容物の取り出しが可能な大きさに開封することができる。  
詳しくは、折曲げ開封包装体を二つ折り状態に折り曲げる折曲げ動作に伴い、シート部材の折曲げ部に形成された開封部を開封した際に、シート部材における折曲げ部が形成された部分、あるいは、シート部材の全体を第１折曲げ罫線と交差する方向に向けて押圧する。
【０００９】
上述の押圧動作に伴い、シート部材を、シート部材の遊端側縁部と開封部の周辺との間に付設された第２折曲げ罫線に沿って折り曲げるとともに、開封部における第２折曲げ罫線と対応する部分を外側に向けて山状に突出された状態に変形させる。
【００１０】
つまり、シート部材を第１折曲げ罫線に沿って二つ折り状態に折り曲げてから第１折曲げ罫線と交差する方向へ変形する場合、変形するシート部材の厚みが２枚分に相当するため、変形する際の抵抗が大きくなるが、第２折曲げ罫線を第１折曲げ罫線と交差して付設しているため、第１折曲げ罫線と交差する方向へ容易に変形することができる。
【００１１】
これにより、シート部材の開封部を偏平状態に開封する構造に比べて、本発明の折曲げ開封包装体の方が、シート部材の開封部を内容物の取り出しが可能な大きさに容易に開封することができる。  
この結果、例えば液状やペースト状の内容物に限らず、顆粒状や錠剤状の大きな内容物であっても取り出しやすく、所望量の内容物をシート部材の大きく開封された開封部からスムーズに取り出すことができる。
【００１２】
上述のシート部材は、例えばアモルファスポリエチレンテレフタレート（Ａ−ＰＥＴ）、ポリプロピレン（ＰＰ）、二軸延伸ポリエステル（ＯＰＥＴ）、生分解性プラスチック（ＰＬＡ）、ポリカーボネート（ＰＣ）、ポリエチレン（ＰＥ）、ポリスチレン（ＰＳ）、ＰＥＴＧ樹脂、あるいは、厚紙、金属シート等の単体シートや複合シートで構成してもよい。
【００１３】
上述のフィルム部材は、例えば無延伸ポリプロピレン（ＣＰＰ）、二軸延伸ポリプロピレン（ＯＰＰ）、二軸延伸ポリエステル（ＯＰＥＴ）、ポリエチレン（ＰＥ）、セルロース・プロピオネート（ＣＰ）、あるいは金属（アルミニウム）等の単体材料、あるいは複合材料で形成したフィルム部材で構成してもよい。  
上述の第１折曲げ罫線及び第２折曲げ罫線は、例えば平面視略弧状の折曲げ罫線、平面視略直線状の折曲げ罫線等で構成してもよい。
【００１４】
上述の内容物は、例えば液状、ペースト状、粉末状、顆粒状、錠剤状等で構成してもよい。開封部は、例えばシート部材の折曲げ動作に伴い厚み方向に貫通される切込みを備えた開封構造、あるいは、折曲げ動作に伴い破断し開封される上述の切込みを覆う封止材を備えた開封構造、あるいは、折曲げ動作に伴い剥離される２枚のシート部材と、各シート部材の剥離部分に形成された厚み方向に貫通及び連通される切込みとを備えた開封構造等で構成してもよい。具体的には、例えば特開２０１４−１９８６０１号公報、特開２０１６−１４５０７６号公報等に開示される構造で構成してもよい。
【００１５】
また、上述の開封部を、例えば特開昭５９−１０３８６６号公報、特開２００４−８３１２０号公報、特開２００６−２４０７４７号公報、特表２０１０−５０４８８８号公報、特表２０１４−５３３２２２号公報等に開示される開封構造で構成してもよい。
【００１６】
この発明の態様として、前記シート部材の折曲げ動作に伴い破断し開封される封止材を、前記折曲げ部における前記開封部が形成された面に対して、前記折曲げ部に形成された前記開封部と、前記第１折曲げ罫線及び前記第２折曲げ罫線のうち少なくとも一方の前記開封部の周辺部に付設された端部を覆うように圧着してもよい。
【００１７】
この発明によれば、折曲げ開封包装体を所定の折曲げ角度以下に折り曲げるまで、開封部が封止された状態に保つことができる。  
詳しくは、折曲げ開封包装体を所定の折曲げ角度以下に折り曲げる折曲げ動作に伴い、シート部材の開封部を覆う封止材が破断し開封されるため、折曲げ開封包装体を所定の折曲げ角度以下に折り曲げるまでは、開封部が封止された状態を保つことができる。
【００１８】
この結果、折曲げ開封包装体を所定の折曲げ角度以下に折り曲げるまえに、開封部を覆う封止材が破断し開封されることがなく、収容部に収容された内容物が外部へ流出することを確実に防止できる。
【００１９】
しかも、シート部材の開封部と第１折曲げ罫線との間や、開封部と第２折曲げ罫線との間に、例えば裂け目や亀裂等が生じることを防止でき、内容物が開封部以外の部分から取り出されることを確実に防止できる。
【００２０】
上述の封止材は、例えばアルミニウム箔、ステンレス箔、銅箔、鉄箔、樹脂フィルム等の肉厚が薄い箔体で構成してもよい。また、強度のある封止材を用いる場合、封止材の破断を補助するため、封止材におけるシート部材の開封部（例えば切込み）と対応する部分に、他の部分と比較して肉厚が薄い肉薄部を開封部と対応する大きさ及び形状に形成してもよい。
【００２１】
なお、シート部材及びフィルム部材の材質、肉厚は、例えば内容物の種類、あるいは包装体本体の内部形状に応じて変更してもよい。また、例えばガスバリア性、防湿性、芳香性等を必要とする内容物を封入する場合、内容物の特性や物性に対応して材質のシート部材やフィルム部材を複合化して用いてもよい。
【００２２】
上述の第１折曲げ罫線及び第２折曲げ罫線のうち少なくとも一方の前記開封部の周辺部に付設された端部とは、例えば第１折曲げ罫線の端部及び第２折曲げ罫線の端部、あるいは、第１折曲げ罫線の端部又は第２折曲げ罫線の端部等を含む概念である。
【００２３】
またこの発明の態様として、前記シート部材を、前記シート部材と前記フィルム部材とが重ね合わされた方向と反対の方向に向けて張り出した形状に形成してもよい。  
この発明によれば、シート部材の折曲げ部に形成された開封部を内容物の取り出しが可能な大きさに容易に開封することができる。
【００２４】
詳しくは、シート部材を第２折曲げ罫線に沿って第１折曲げ罫線と交差する方向へ折り曲げる際の抵抗が軽減されるため、シート部材を第１折曲げ罫線と交差する方向へ容易に変形することができる。
【００２５】
これにより、シート部材の開封部を内容物の取り出しが可能な大きさに容易に開封することができる。  
この結果、例えば顆粒状や錠剤状の大きな内容物であっても取り出しやすく、所望量の内容物をシート部材の大きく開封された開封部からスムーズに取り出すことができる。
【００２６】
またこの発明の態様として、前記第２折曲げ罫線を、前記シート部材における前記開封部が形成された部分を中心として放射状に付設してもよい。  
この発明によれば、シート部材の折曲げ部に形成された開封部を内容物の取り出しが可能な大きさに確実に開封することができる。
【００２７】
詳しくは、折曲げ開封包装体を二つ折り状態に折り曲げて、シート部材の折曲げ部に形成された開封部を開封した際に、シート部材における折曲げ部が形成された部分、あるいは、シート部材の全体を第１折曲げ罫線と交差する方向に向けて押圧する。
【００２８】
上述の押圧動作に伴い、シート部材を放射状に付設された複数本の第２折曲げ罫線に沿って折り曲げるとともに、開封部における放射状に付設された第２折曲げ罫線と対応する複数箇所の部分を外側に向けて山状に突出された状態に変形させる。
【００２９】
これにより、シート部材の開封部を偏平状態に開封する構造に比べて、本発明の折曲げ開封包装体の方が、シート部材の開封部を内容物の取り出しが可能な大きさに確実に開封することができる。  
この結果、所望量の内容物を大きく開封された開封部から確実かつスムーズに取り出すことができる。
【００３０】
またこの発明の態様として、前記第２折曲げ罫線を、前記シート部材の長手方向と平行して該シート部材の短手方向の中央部に付設してもよい。  
この発明によれば、シート部材の折曲げ部に形成された開封部を内容物の取り出しが可能な大きさにより確実に開封することができる。
【００３１】
詳しくは、上述の押圧動作に伴い、シート部材を中央部に付設された第２折曲げ罫線に沿って折り曲げるとともに、開封部における中央部に付設された第２折曲げ罫線と対応する中央の部分を外側に向けて山状に突出された状態に変形させる。
【００３２】
これにより、シート部材の開封部を偏平状態に開封する構造に比べて、本発明の折曲げ開封包装体の方が、シート部材の開封部を内容物の取り出しが可能な大きさにより確実に大きく開封することができる。  
この結果、所望量の内容物を大きく開封された開封部からより確実かつスムーズに取り出すことができる。
【００３３】
またこの発明の態様として、前記第２折曲げ罫線を、前記シート部材の長手方向と平行して該シート部材の短手方向に所定間隔を隔てて付設してもよい。  
この発明によれば、シート部材の折曲げ部に形成された開封部を内容物の取り出しが可能な大きさにより確実に開封することができる。
【００３４】
詳しくは、上述の押圧動作に伴い、シート部材を所定間隔に隔てて付設された複数本の第２折曲げ罫線に沿って折り曲げるとともに、開封部における所定間隔を隔てて付設された第２折曲げ罫線と対応する複数箇所の部分を外側に向けて山状に突出された状態に変形させる。
【００３５】
これにより、シート部材の開封部を偏平状態に開封する構造に比べて、本発明の折曲げ開封包装体の方が、シート部材の開封部を内容物の取り出しが可能な大きさにより確実に開封することができるとともに、開封部を略均等に開封することができる
この結果、所望量の内容物を略均等に開封された大きな開封部からより確実かつスムーズに取り出すことができる。
【発明の効果】
【００３６】
この発明によれば、シート部材の折曲げ部に形成された開封部を内容物の取り出しが可能な大きさに開封することができる折曲げ開封包装体を提供することができる。
【図面の簡単な説明】
【００３７】
【図１】実施例１の折曲げ開封包装体の説明図。
【図２】折曲げ開封包装体の開封構造の説明図。
【図３】封止材を圧着したシート部材の拡大断面図。
【図４】折曲げ開封包装体の折曲げ動作の説明図。
【図５】折曲げ開封包装体から内容物を取り出す際の部分拡大断面図。
【図６】折曲げ開封包装体の切込みを開口する動作の説明図。
【図７】切込みが開口された折曲げ開封包装体を切込み側から見た斜視図。
【図８】折曲げ開封包装体を上下に積み重ねた状態の断面図。
【図９】シート部材の基材となるシート基材を製造する製造方法の説明図。
【図１０】折曲げ開封包装体を製造する製造方法の説明図。
【図１１】基材同士を長手方向に縦シールする縦シール装置の説明図。
【図１２】基材同士を短手方向に横シールする横シール装置の説明図。
【図１３】筒状包装体を個々の包装体に分離する分断装置の説明図。
【図１４】実施例２の折曲げ開封包装体の説明図。
【図１５】実施例３の折曲げ開封包装体の説明図。
【図１６】実施例４の折曲げ開封包装体の説明図。
【図１７】実施例５の折曲げ開封包装体の説明図。
【図１８】実施例６の折曲げ開封包装体の断面図。
【図１９】実施例７の折曲げ開封包装体の平面図。
【図２０】実施例８の折曲げ開封包装体の説明図。
【図２１】実施例９の折曲げ開封包装体の説明図。
【図２２】実施例１０の折曲げ開封包装体の説明図。
【図２３】実施例１１の折曲げ開封包装体の説明図。
【図２４】実施例１２の折曲げ開封包装体の説明図。
【図２５】実施例１３の折曲げ開封包装体の説明図。
【発明を実施するための形態】
【００３８】
この発明の一実施形態を以下図面に基づいて詳述する。  
（実施例１）  
図１は実施例１の折曲げ開封包装体１Ａの説明図であり、詳しくは、図１（ａ）は折曲げ開封包装体１Ａを切込み１７側から見た斜視図、図１（ｂ）は折曲げ開封包装体１Ａを表面側から見た平面図である。
【００３９】
図２は折曲げ開封包装体１Ａの開封構造の説明図であり、詳しくは、図２（ａ）は短手方向Ｓの中央部で分断した折曲げ開封包装体１Ａの断面図、図２（ｂ）は（ａ）に示すａ部拡大断面図、図３は封止材１８を圧着したシート部材２の拡大断面図である。
【００４０】
図４は折曲げ開封包装体１Ａの折曲げ動作の説明図であり、詳しくは、図４（ａ）は折曲げ開封包装体１Ａを折り曲げ始めた状態の側面図、図４（ｂ）は折曲げ開封包装体１Ａを二つ折りした状態の側面図、図５は折曲げ開封包装体１Ａから内容物Ｃを取り出す際の部分拡大断面図である。
【００４１】
図６は折曲げ開封包装体１Ａの切込み１７を開口する動作の説明図であり、詳しくは、図６（ａ）は折曲げ開封包装体１Ａを二つ折りした状態の拡大図、図６（ｂ）は折曲げ開封包装体１Ａを短手方向Ｓに押圧した状態の拡大図、図６（ｃ）は（ｂ）の折曲げ開封包装体１Ａを切込み１７側から見た拡大平面図、図７は図６（ｂ）の切込み１７が開口された折曲げ開封包装体１Ａを切込み１７側から見た斜視図である。
【００４２】
なお、以下の説明における長手方向Ｌ（長さ方向）とは、平面視略矩形を有する折曲げ開封包装体１Ａの長手方向と一致する方向であり、短手方向Ｓ（幅方向）とは、平面方向において長手方向Ｌと直交する方向である。
【００４３】
実施例１の折曲げ開封包装体１Ａは、１回の使用に必要な量の内容物Ｃを封入（充填）した小型の包装体であり、平面視略矩形の包装体本体１ａを、二つ折り状態に折曲げ可能なシート部材２と、シート部材２の裏面側に貼り合わされた柔軟性を有するフィルム部材３と、部材２，３同士の対向面間に形成された所望量の内容物Ｃを収容する袋状の収容部４とで構成している（図１（ａ）（ｂ）、図２（ａ）（ｂ）参照）。
【００４４】
シート部材２は、肉厚０．３ｍｍに形成したアモルファスポリエチレンテレフタレート製（Ａ−ＰＥＴ）のシート基部２ａと、肉厚０．０３ｍｍに形成したポリエチレン製（ＰＥ）のフィルムシール材２ｂとで構成している。フィルムシール材２ｂは、シート基部２ａの表裏両面（あるいは、表裏両面のうち少なくとも一方の面）を覆うように貼着している（図２（ｂ）参照）。
【００４５】
シート部材２は、シート部材２とフィルム部材３とが厚み方向Ｔに重ね合わされた方向と反対の方向に向けて亀の甲羅状に張り出した形状に形成している。シート部材２における張り出した部分の中央部の高さｈ１は、シート部材２の長手方向Ｌ及び短手方向Ｓのうち少なくとも一方の寸法を基準として、約３％〜約３０％の範囲に含まれる高さに形成するとともに、シート部材２の肉厚を基準として、約３倍〜約３０倍の範囲に含まれる高さに形成している（図２（ａ）参照）。
【００４６】
シート部材２の裏面側に貼り合わされたフィルム部材３は、肉厚０．３ｍｍに形成した二軸延伸ポリエステル製（ＯＰＥＴ）の図示しないフィルム基部と、肉厚０．０３ｍｍに形成したポリエチレン製（ＰＥ）の図示しないフィルムシール材とで構成している。フィルムシール材は、フィルム基部の表裏両面（又は一方の面）を覆うように貼着している。
【００４７】
フィルム部材３における収容部４の内面と対応する外周縁部は、シート部材２における裏面側の外周縁部に対して接合している。シート部材２とフィルム部材３との対向する外周縁部を接合して形成したシール部４１５，４１６より内側の対向面間に、袋状の収容部４を形成している（図２（ａ）参照）。
【００４８】
収容部４は、シート部材２とフィルム部材３との対向する外周縁部を接合して形成した長辺側両縁部のシール部４１５及び短辺側両縁部のシール部４１６より内側に形成している（図２（ａ）参照）。  
なお、シール部４１５，４１６の幅はシート部材２の端部より最低で約２ｍｍ必要である。
【００４９】
収容部４に対応するフィルム部材３の未接合部分は、包装体本体１ａのシール部４１５，４１６より内側に形成している。フィルム部材３の未接合部分の面積は、シート部材２全体の面積を基準として約１０％〜約９０％の範囲に含まれる面積に形成している（図２（ａ）参照）。
【００５０】
亀の甲羅状に張り出したシート部材２における長手方向Ｌの中央部には、長手方向Ｌに対して二つ折り状態に折曲げ可能な折曲げ部１５を、シート部材２の長手方向Ｌと直交して短手方向Ｓに形成している（図１、図２参照）。
【００５１】
折曲げ部１５における短手方向Ｓの中央部には、図１中の二点鎖線で示す開封領域１６を設定している。シート部材２における開封領域１６内の中央部表面には、シート部材２を二つ折り状態に折り曲げる折曲げ動作に伴い厚み方向Ｔに貫通されるスリット状の切込み１７を形成している（図１、図２参照）。
【００５２】
切込み１７は、シート部材２の長手方向Ｌと交差して短手方向Ｓに形成するとともに、シート部材２の表面を厚み方向Ｔから見て、シート部材２における長手方向Ｌの一端側に向けて弧状に突出する平面視略弧形状に形成している。切込み１７の幅Ｗｉは、シート部材２の短手方向Ｓの幅以下（望ましくは約７０％以下）に形成している（図１（ｂ）参照）。
【００５３】
切込み１７を付設した開封領域１６内の表面には、シート部材２を二つ折り状態に折り曲げる動作に伴い破断し開封される封止材１８を、シート部材２における開封領域１６内の表面に対して切込み１７を覆うように圧着するとともに、後述する折曲げ罫線２１，２１１における切込み１７の周辺部に向けて延びるように付設された端部を覆うように圧着している（図１（ｂ）参照）。
【００５４】
封止材１８は、肉厚０．０２ｍｍに形成したアルミニウム箔と、アルミニウム箔の表裏両面にコーティングしたヒートシール可能なアクリル・コポリマーとで構成している（図２（ｂ）参照）。
【００５５】
封止材１８におけるシート部材２の表面に対して圧着される裏面側には、ホットメルト剤などの接着剤からなる接着層１８ａを略均一にコーティング（又は塗布）している。封止材１８の周縁部１８ｂより内側の表面には、凹部１９と凸部２０とを表面全体に対して略均一となるように多数付設している（図１〜図３参照）。
【００５６】
封止材１８は折曲げ部１５の開封領域１６より一回り小さく、開封領域１６の切込み１７を覆う大きさ及び形状に形成されており、シート部材２の折曲げ部１５を二つ折り状態に折り曲げた際に山側となる開封領域１６内の表面に対して、開封領域１６の切込み１７を覆うように圧着している。封止材１８の破断強度は、シート部材２の折曲げ部１５を所定の折曲げ角度θ１以下に折曲げた際に破断される強度に設定している（図４参照）。
【００５７】
封止材１８の周縁部１８ｂは、シート部材２の表面に対して厚み方向Ｔに所定の深さＤ１を食い込ませて、シート部材２の表面より下方に没するように圧着している。周縁部１８ｂは、封止材１８の中央部から外周部に向けて徐々に食い込みが深くなるように圧着している（図３のｂ部拡大図参照）。
【００５８】
周縁部１８ｂの食い込み深さＤ１は約０．１ｍｍに設定している。凹部１９と凸部２０との高低差Ｄ２は、封止材１８の肉厚を基準として、約０．１倍〜約１０倍の範囲に含まれる差に設定しているが、好ましくは５倍以内に設定している（図３のｂ部拡大図参照）。
【００５９】
封止材１８の周囲には、シート部材２の表面より外方に向けて突出する断面略弧状の突出部２４を、封止材１８の周縁部１８ｂに沿って封止材１８の全周に亘り連続して形成している（図３のｂ部拡大図参照）。
【００６０】
突出部２４の幅Ｗｋは約０．１ｍｍに形成している。突出部２４の外面は、シート部材２の周縁部から封止材１８の周縁部に向けて徐々に高くなる滑らかな曲面に形成している（図３のｂ部拡大図参照）。
【００６１】
突出部２４の高さＥ２は、封止材１８の肉厚Ｅ１を基準として、肉厚Ｅ１の約５０％以上の高さに形成している。具体的には、封止材１８の肉厚０．０２ｍｍ（＝２０μ）に対して、突出部２４の高さＥ２を約０．０１ｍｍ（＝１０μ）に形成している（図３のｂ部拡大図参照）。  
封止材１８の肉厚Ｅ１の約５０％以上の高さであれば、突出部２４の高さＥ２を約０．０１ｍｍ以上に形成してもよい。
【００６２】
シート部材２における折曲げ部１５の両側縁部と、切込み１７における折曲げ部１５の両側縁部と対応する短手方向Ｓの両端部との間の表面には、シート部材２の折り曲げを補助する折曲げ罫線２１を、切込み１７の両端部より外側に所定間隔を隔てられた周辺部から折曲げ部１５の両側縁部に向けて、シート部材２の長手方向Ｌと直交して短手方向Ｓに付設している（図１参照）。
【００６３】
シート部材２における遊端側の短辺側両縁部に形成されたシール部４１６の両側縁部と、切込み１７におけるシール部４１６の両側縁部と対応する両側周辺部との間の表面には、シート部材２の折り曲げを補助する折曲げ罫線２１１を、シート部材２における切込み１７が形成された部分を中心として、折曲げ罫線２１に対して交差する方向に向けて放射状に４本付設している（図１参照）。
【００６４】
平面視略直線状の折曲げ罫線２１及び平面視略弧状に湾曲する折曲げ罫線２１１における切込み１７の周辺部に向けて延びる端部は、封止材１８の周縁部１８ｂより内側に所定長さ入り込ませた状態に付設している（図１参照）。
【００６５】
上述の折曲げ開封包装体１Ａから内容物Ｃを取り出す際の取り出し方法について説明する。  
先ず、手の指を、折曲げ開封包装体１Ａにおける遊端側の短辺側両縁部に形成されたシール部４１６，４１６に掛けて、折曲げ開封包装体１Ａをシート部材２の切込み１７が下向きとなる状態に保持した後、折曲げ方向Ｇに向けて二つ折り状態に折り曲げ開始する（図４（ａ）参照）。
【００６６】
シート部材２の折曲げ部１５を所定の折曲げ角度θ１以下に折曲げた際、折曲げ部１５の切込み１７を覆う封止材１８が破断し開封されるとともに、切込み１７が厚み方向Ｔに貫通され、包装体本体１ａの収容部４と連通される（図４（ａ）、図６（ａ）参照）。
【００６７】
これにより、折曲げ開封包装体１Ａを二つ折り状態に折り曲げる折曲げ動作に伴い収容部４が徐々に押し潰されるため、収容部４に収容された液状やペースト状の内容物Ｃを切込み１７から押し出すようにして取り出すことができる（図４（ｂ）、図５参照）。
【００６８】
シート部材２の折曲げ部１５を二つ折りした際に、切込み１７の舌片１７ａが下側斜め下方に向けて突出し、内容物Ｃが舌片１７ａに接触しながら押し出されるため、収容部４に封入された内容物Ｃが一挙に押し出されにくく、内容物Ｃが周囲に飛び散ることを防止できる（図５参照）。
【００６９】
さらに、折曲げ開封包装体１Ａを二つ折り状態に折り曲げて、シート部材２の折曲げ部１５に形成された切込み１７を開口した際に、シート部材２における折曲げ部１５が形成された部分、あるいは、シート部材２の全体を短手方向Ｓの中央部に向けて押圧する（図６（ａ）参照）。
【００７０】
上述の短手方向Ｓへの押圧動作に伴い、シート部材２の折曲げ部１５を平面視略弧形状に湾曲しつつ、短手方向Ｓの中央部から両端部に向けて低くなるように変形させるとともに、シート部材２を４本の折曲げ罫線２１１に沿って短手方向Ｓへ折り曲げ、切込み１７における４本の折曲げ罫線２１１と対応する４箇所の部分を外側に向けて山状に突出された状態に変形させる（図６（ｂ）（ｃ）参照）。
【００７１】
これにより、シート部材２の切込み１７を偏平状態に開口する構造に比べて、切込み１７を内容物Ｃの取り出しが可能な大きさにより確実に開口することができる（図７参照）。
【００７２】
この結果、液状やペースト状の内容物Ｃに限らず、顆粒状や錠剤状の大きな内容物Ｃであっても取り出しやすく、所望量の内容物Ｃをシート部材２の大きく開口された切込み１７から確実かつスムーズに取り出すことができる。
【００７３】
しかも、折曲げ開封包装体１Ａを所定の折曲げ角度θ１以下に折曲げるまでは、封止材１８による封止が解除されず、収容部４に収容された内容物Ｃが外部へ流出することを防止できるとともに、封止材１８により封止された状態を確実に維持できる。
【００７４】
さらに、シート部材２の切込み１７と折曲げ罫線２１との間や、切込み１７と折曲げ罫線２１１との間に、例えば裂け目や亀裂等が生じることを防止でき、内容物Ｃが切込み１７以外の部分から取り出されることを確実に防止できる。
【００７５】
さらにまた、シート部材２を、シート部材２とフィルム部材３とが厚み方向Ｔに重ね合わされた方向と反対の方向に向けて亀の甲羅状に張り出した形状に形成しているため、シート部材２を折曲げ罫線２１１に沿って折曲げ罫線２１と交差する方向へ折り曲げる際の抵抗が軽減される。  
これにより、シート部材２を折曲げ罫線２１と交差する方向へ容易に変形することができるとともに、切込み１７を内容物Ｃの取り出しが可能な大きさに容易に開口することができる。
【００７６】
また、実施例１の折曲げ開封包装体１Ａは、亀の甲羅状に形成したシート部材２の外周縁部に形成したシール部４１５，４１６を収容部４より外側斜め下方に向けて突出しているため、折曲げ開封包装体１Ａを、例えばテーブルやトレイ等の略平坦な載置部（図示せず）に対して収容部４が下向きとなるように置いた際に、収容部４より外側斜め下方に向けて突出したシール部４１５，４１６が載置部に接地される（図２（ａ）参照）。
【００７７】
つまり、折曲げ開封包装体１Ａの収容部４が載置部に対して所定間隔を隔てられた状態に支持されるため、収容部４と対応するフィルム部材３の外面が載置部に接触することを回避できる。  
これにより、収容部４と対応するフィルム部材３の表面が汚れたり、傷付いたりすることを防止でき、清潔かつ衛生的な状態を保つことができる。
【００７８】
しかも、折曲げ開封包装体１Ａの収容部４を、シート部材２における収容部４より外側に突出したシール部４１５，４１６より内側に形成しているため、例えば輸送、運搬及び取り出し等において、手の指や物等が収容部４より外側に突出されたシール部４１５，４１６に当接しやすく、収容部４と対応するフィルム部材３に対して強く当接されることを回避できる。
【００７９】
これにより、手の指や物等が収容部４のフィルム部材３に対して強く当接されたり、大きな衝撃が付与されることを確実に防止できるため、収容部４のフィルム部材３が破れたり、穴が開いたりしにくく、収容部４に収容された内容物Ｃが外部に漏洩することを確実に防止できる。
【００８０】
さらに、シート部材２とフィルム部材３との対向する外周縁部を熱溶着した際に、溶着時の熱によりフィルム部材３が長手方向Ｌ及び短手方向Ｓに熱収縮するため、フィルム部材３が長手方向Ｌ及び短手方向Ｓに緊張される。
【００８１】
つまり、収容部４と対応するフィルム部材３の表面に、例えば皺や波等が形成されにくく、略平滑な面に仕上げることができるため、折曲げ開封包装体１Ａを二つ折り状態に折曲げる際、あるいは手で保持した際に、良好な手触り感が得られるだけでなく、内容物Ｃが収容部４内に残りにくく、略全ての内容物Ｃを収容部４から確実に取り出すことができる。
【００８２】
図８は折曲げ開封包装体１Ａを積み重ねた状態の断面図であり、未開封の折曲げ開封包装体１Ａを収容部４が下向きとなるようにして上下に積み重ねた際に、折曲げ開封包装体１Ａの積み重ね位置が短手方向Ｓにずれにくく、複数の折曲げ開封包装体１Ａを積み重ねたまま一括して輸送又は運搬することができる。
【００８３】
これにより、折曲げ開封包装体１Ａを図示しないケースに収容したり、運搬又は輸送する際の作業性が向上するとともに、折曲げ開封包装体１Ａを保管する際の保管スペースが小さくて済む（図８参照）。
【００８４】
上述のように構成された折曲げ開封包装体１Ａを製造する製造装置４０について説明する。  
図９はシート部材２の基材となるシート基材２２２を製造するシート基材製造装置４０１及び製造方法の説明図、図１０はシート基材２２２とフィルム基材３３３とを貼り合わせて折曲げ開封包装体１Ａを製造する製造装置４０及び製造方法の説明図である。
【００８５】
図１１は基材２２２，３３３同士を長手方向Ｌに縦シールする縦シール装置４５の説明図、図１２は基材２２２，３３３同士を短手方向Ｓに横シールする横シール装置４７の説明図、図１３は筒状包装体４１４を個々の折曲げ開封包装体１Ａに分離する分断装置４８の説明図である。
【００８６】
本発明の製造装置４０は、封止材１８が圧着されたシート基材２２２を製造するシート基材製造装置４０１と、シート基材２２２とフィルム基材３３３とを貼り合わせて折曲げ開封包装体１Ａを製造する包装体製造装置４０２とを備えている（図９、図１０参照）。
【００８７】
シート基材製造装置４０１は、平面視略弧形状に湾曲するスリット状の切込み１７及び平面視略弧状に湾曲する折曲げ罫線２１１をシート基材２２２に付設する切込み付設工程ａの切込み付設装置４１１と、封止材１８を封止基材１８０から押切り分離するとともに、切込み１７を覆うようにシート基材２２２に圧着する押切り圧着工程ｂの押切り圧着装置４１２とを備えている（図９参照）。  
なお、封止基材１８０は、シート基材２２２の短手方向Ｓの幅より幅狭に形成され、切込み１７を覆う幅に形成している。
【００８８】
上述のシート基材製造装置４０１を用いて、シート基材２２２を製造する製造方法について説明する。  
シート基材２２２を製造する製造方法は、平面視略弧形状に湾曲するスリット状の切込み１７と平面視略弧状に湾曲する折曲げ罫線２１１を、帯状に形成された合成樹脂製のシート基材２２２に対して切込み付設装置４１１により付設する切込み付設工程ａと、帯状に形成されたアルミニウム箔製の封止基材１８０をシート基材２２２の切込み１７を覆う大きさ及び形状に押切り分離し、封止基材１８０から押切り分離した封止材１８をシート基材２２２の表面に対して切込み１７を覆うように押切り圧着装置４１２により圧着する押切り圧着工程ｂと、封止材１８が分離された残りの廃棄基材１８０ａをロール状に巻回して回収する廃棄材回収工程ｃと、封止材１８が圧着されたシート基材２２２をロール状に巻回する基材巻回工程ｄとを、この順で行なう（図９参照）。
【００８９】
切込み付設工程ａにおいて、シート装填部２０１から繰り出される帯状のシート基材２２２を、送り方向Ｆ（長手方向Ｌ）に向けて一定速度で搬送しながら切込み付設装置４１１へ移送する（図９参照）。
【００９０】
切込み付設装置４１１は、平面視略弧形状に湾曲するスリット状の切込み１７をシート基材２２２の短手方向Ｓの中央部に付設する際に、平面視略直線状の折曲げ罫線２１を、シート部材２における折曲げ部１５の両側縁部と、折曲げ部１５の両側縁部と対応する切込み１７における短手方向Ｓの両端部との間の表面に付設する。
【００９１】
平面視略弧状に湾曲する折曲げ罫線２１１を、シート部材２におけるシール部４１６の両側縁部と、切込み１７におけるシール部４１６の両側縁部と対応する両側周辺部との間の表面に対して、切込み１７が形成された部分を中心として放射状に４本付設するとともに、切込み１７及び折曲げ罫線２１，２１１を１組として、シート基材２２２の長手方向Ｌに所定間隔を隔てて付設する（図９参照）。
【００９２】
押切り圧着工程ｂにおいて、封止材装填部１８１から繰り出される帯状の封止基材１８０を、シート基材２２２の短手方向Ｓの中央部表面に対して切込み１７が覆われるように重ね合わせるとともに、シート基材２２２の送り速度と同期して送り方向Ｆに向けて一定速度で搬送しながら押切り圧着装置４１２へ移送する（図９参照）。
【００９３】
押切り圧着装置４１２は、封止基材１８０をシート基材２２２の表面側に重ね合わせる際に、シート基材２２２の切込み１７を覆う大きさ及び形状に押切り分離する。封止基材１８０から押切り分離された封止材１８を、シート基材２２２の表面に対して切込み１７を覆うように圧着するとともに、折曲げ罫線２１，２１１における切込み１７の周辺部に付設された端部を覆うように圧着する（図９参照）。
【００９４】
封止材１８をシート基材２２２に圧着する際に、凹部１９及び凸部２０を封止材１８の周縁部１８ｂより内側の表面に対して略均一に付設するとともに、封止材１８の周縁部１８ｂをシート基材２２２の表面に対して所定の深さＤ１だけ食い込ませる（図９参照）。  
これにより、折曲げ開封包装体１Ａのシート部材２に用いられる、封止材１８が圧着されたシート基材２２２を連続して製造することができる。
【００９５】
なお、封止材１８が分離された残りの廃棄基材１８０ａは廃棄材回収工程ｃにおいてロール状に巻回して回収する。封止材１８が圧着されたシート基材２２２は基材巻回工程ｄにおいてロール状に巻回する（図９参照）。
【００９６】
包装体製造装置４０２は、封止材１８が圧着された帯状のシート基材２２２を供給するシート供給装置４１と、帯状のフィルム基材３３３を供給するフィルム供給装置４２と、基材２２２，３３３同士を送り方向Ｆに向けて縦送りしながら互いに重ね合わせる重ね合わせ工程ｅの重ね合せ装置４３と、基材３３３を送り方向Ｆに向けて縦送りしながら幅寄せする幅寄せ工程ｆの幅寄せ装置４４と、基材２２２，３３３同士における長手方向Ｌに重ね合わされた両側の部分を縦送りしながら熱シールする縦シール工程ｇの縦シール装置４５と、縦シールされた筒状包装体４１４内に対して所定量の内容物Ｃを上方から充填する充填工程ｈの充填装置４６と、筒状包装体４１４における短手方向Ｓに重ね合わされた部分を熱シールする横シール工程ｉの横シール装置４７と、所定量の内容物Ｃが充填された筒状包装体４１４を個々の折曲げ開封包装体１Ａに分離する分断工程ｊの分断装置４８と、を備えている（図１０〜図１３参照）。
【００９７】
シート供給装置４１は、帯状に形成されたシート基材２２２をロール状に巻回して装填するロール装填部４１ａを備えている。フィルム供給装置４２は、帯状に形成されたフィルム基材３３３をロール状に巻回して装填するロール装填部４２ａを備えている（図１０、図１１参照）。
【００９８】
重ね合せ装置４３は、シート供給装置４１のロール装填部４１ａから繰り出されるシート基材２２２と、フィルム供給装置４２のロール装填部４２ａから繰り出されるフィルム基材３３３とを互いに重ね合せながら送り方向Ｆに向けて縦送りする一対の送りロール４３１を備えている（図１０、図１１参照）。
【００９９】
一対の送りロール４３１は、図示しないモータにより送り方向Ｆに同期して回転され、シート装填部２１０から繰り出されるシート基材２２２の封止材１８が圧着された表面と反対側の裏面と、フィルム装填部３１０から繰り出されるフィルム基材３３３の収容部４の内面と対応する方の面とを互いに重ね合わせるとともに、基材２２２，３３３同士を重ね合わせたまま送り方向Ｆに向けて所定の送り速度（約７ｍ／ｍｉｎ）で縦送りする（図１０、図１１参照）。
【０１００】
幅寄せ装置４４は、基材２２２を短手方向Ｓの中央部に向けて幅寄せする幅寄せ部材４４１を備えている。幅寄せ部材４４１は、重ね合せ装置４３により縦送りされる基材２２２の長辺側両縁部と対向して縦シール工程ｇの直前に配置している（図１０、図１１参照）。
【０１０１】
幅寄せ部材４４１同士の対向面には、基材２２２の長辺側両縁部が当接される幅寄せ溝７４２を送り方向Ｆに向けて垂直に形成している。幅寄せ溝７４２同士の対向面は、上端側から下端側に向けて徐々に幅狭となるように形成している（図１１のｂ部拡大図参照）。
【０１０２】
縦シール装置４５は、基材２２２，３３３同士における短手方向Ｓの両端にて互いに重ね合わされた両側の部分を長手方向Ｌに熱シールする一対の縦シールロール４５１を備えている（図１０、図１１参照）。
【０１０３】
一方の縦シールロール４５１は、基材２２２，３３３同士のうち一方の基材２２２と対応する側に配置している（図１０、図１１に示す左側）。他方の縦シールロール４５１は、他方の基材３３３と対応する側に配置している（図１０、図１１に示す右側）。
【０１０４】
縦シールロール４５１における軸方向の中央部周面には、後述する収容部４に対して押圧が回避される凹状の溝部４５２を周方向に連続して形成している。縦シールロール４５１における軸方向の両端部周面には、基材２２２，３３３同士における長手方向Ｌに重ね合わされた両側の部分を熱シールする縦押圧部４５３，４５４を周方向に連続して形成している。（図１０、図１１参照）。
【０１０５】
一方の縦シールロール４５１の縦押圧部４５３は、軸方向の両端部から中央部に向けて徐々に外径が小さくなる斜面又は曲面に形成している。他方の縦シールロール４５１の縦押圧部４５４は、軸方向の両端部から中央部に向けて徐々に外径が大きくなる斜面又は曲面に形成している（図１１のｃ部拡大図参照）。
【０１０６】
充填装置４６は、縦シール装置４５により筒状に縦シールされた筒状包装体４１４内に対して内容物Ｃを充填するための充填管４６１を備えている。充填装置４６の装置本体は一対の送りロール４３１より上方に配置している（図１０、図１１参照）。
【０１０７】
充填装置４６に垂設された充填管４６１の上端は、図示しない内容物供給源に接続されている。充填管４６１の下端は、縦シール装置４５により筒状に形成される筒状包装体４１４の中央部に対して垂直に挿入している（図１０、図１１参照）。
【０１０８】
横シール装置４７は、筒状包装体４１４における基材２２２，３３３同士の重ね合わされた部分を短手方向Ｓに熱シールする一対の横シールロール４７１を備えている。一方の横シールロール４７１は、基材２２２，３３３同士のうち一方の基材２２２と対応する側に配置している（図１０、図１２に示す左側）。他方の横シールロール４７１は、他方の基材３３３と対応する側に配置している（図１０、図１２に示す右側）。
【０１０９】
横シールロール４７１の周面には、基材２２２，３３３同士の重ね合わされた部分を短手方向Ｓに熱シールする横押圧部４７２を径外方向に向けて突出するとともに、１個分の折曲げ開封包装体１Ａの全長と対応する間隔を隔てて周方向に複数配置している（図１０、図１２参照）。
【０１１０】
横シールロール４７１における横押圧部４７２間の周面には、後述する収容部４に対して押圧が回避される凹状の溝部４７３を形成している。一方及び他方の横シールロール４７１の横押圧部４７２には、基材２２２の横シールされた部分を押圧する凸状のシート押圧部４７４と、基材３３３の横シールされた部分を押圧する凹状のフィルム押圧部４７５とを形成している（図１０、図１２参照）。
【０１１１】
シート押圧部４７４は、基材２２２，３３３同士が重ね合わされた方向に向けて凸状に突出した断面略弧形状に形成している。フィルム押圧部４７５は、基材２２２，３３３同士が重ね合わされた方向と反対の方向に向けて凹状に窪んだ断面略弧形状に形成している（図１２のｄ部拡大図参照）。
【０１１２】
分断装置４８は、上述のシール装置４５，４７により縦シール及び横シールされた筒状包装体４１４を、個々の折曲げ開封包装体１Ａに分断するロータリー式の回転刃４８１と、回転刃４８１と対峙する受けロール４８４とを備えている（図１０、図１３参照）。
【０１１３】
回転刃４８１における軸方向の両端部周面には、筒状包装体４１４のシール部４１５を長手方向Ｌに分断する円板状の縦刃４８２を周方向に連続して形成している。軸方向の中央部周面には、筒状包装体４１４のシール部４１６を長手方向Ｌに直交して短手方向Ｓに分断する横刃４８３を、筒状包装体４１４のシール部４１６と対応して周方向に所定間隔を隔てて複数配置している（図１０、図１３参照）。
【０１１４】
分断装置４８の下方には、分断装置４８により筒状包装体４１４から折曲げ開封包装体１Ａを分離した後の切残り片４１７をロール状に巻回して回収する切残り片回収部４８６を配置している（図１０、図１３参照）。
【０１１５】
上述の包装体製造装置４０２を用いて、折曲げ開封包装体１Ａを製造する製造方法について説明する。  
折曲げ開封包装体１Ａを製造する製造方法は、供給装置４１，４２から供給されるシート基材２２２とフィルム基材３３３とを、重ね合せ装置４３により送り方向Ｆに向けて縦送りしながら互いに重ね合わせる重ね合わせ工程ｅと、基材２２２を幅寄せ装置４４により短手方向Ｓの中央部に向けて幅寄せする幅寄せ工程ｆと、基材２２２，３３３同士における長手方向Ｌに重ね合わされた両側の部分を縦シール装置４５にて縦送りしながら長手方向Ｌに熱シールする縦シール工程ｇと、縦シールされた筒状包装体４１４内に対して所定量の内容物Ｃを充填装置４６にて充填する充填工程ｈと、筒状包装体４１４における短手方向Ｓに重ね合わされた部分を横シール装置４７にて短手方向Ｓに熱シールする横シール工程ｉと、縦シール及び横シールされた筒状包装体４１４を分断装置４８にて個々の折曲げ開封包装体１Ａに分離する分断工程ｊとを、この順で行う（図１０〜図１３参照）。
【０１１６】
重ね合わせ工程ｅにおいて、供給装置４１，４２から供給されるシート基材２２２とフィルム基材３３３を、シート基材２２２における封止材１８が貼着された表面と反対側の裏面と、フィルム基材３３３における収容部４の内面と対応する方の面とを重ね合わせて、重ね合せ装置４３における一対の送りロール４３１の間に上方から挟み込むとともに、基材２２２，３３３同士を重ね合わせたまま一対の送りロール４３１の回転により送り方向Ｆに向けて縦送りし、幅寄せ工程ｆの幅寄せ装置４４へ供給する（図１０、図１１参照）。
【０１１７】
幅寄せ工程ｆにおいて、基材３３３が重ね合わされた基材２２２の長辺側両縁部を、幅寄せ装置４４における幅寄せ部材４４１の対向する幅寄せ溝７４２間に対して上方から差し込むとともに、基材２２２，３３３同士を送り方向Ｆに向けて縦送りしながら、基材２２２の長辺側両縁部を短手方向Ｓの中央部に向けて徐々に幅寄せする（図１０、図１１参照）。
【０１１８】
これにより、基材２２２を、基材２２２，３３３同士が重ね合わされた方向と反対の方向に向けて張り出した断面略弧形状に変形するとともに、基材２２２，３３３同士を重ね合わせたまま縦シール工程ｇの縦シール装置４５へ供給する（図１０、図１１参照）。
【０１１９】
縦シール工程ｇにおいて、幅寄せ工程ｆから供給される基材２２２，３３３同士の長辺側両縁部を、縦シール装置４５における一対の縦シールロール４５１の間に対して上方から挟み込む（図１０、図１１参照）。
【０１２０】
基材２２２，３３３同士を重ね合わせたまま、一対の縦シールロール４５１の回転により送り方向Ｆに向けて縦送りするとともに、基材２２２，３３３同士の長手方向Ｌに重ね合わされた両側の部分を、一対の縦シールロール４５１の縦押圧部４５３，４５４により押圧する（図１０、図１１参照）。
【０１２１】
一方の基材２２２の長辺側両縁部を、一方の縦シールロール４５１の縦押圧部４５３により約７０℃に加熱し、他方の基材３３３の長辺側両縁部を、他方の縦シールロール４５１の縦押圧部４５４により約１３０℃に加熱して、基材２２２，３３３同士の長手方向Ｌに重ね合わされた両側の部分を長手方向Ｌ（送り方向Ｆ）に溶着して縦シールする（図１０、図１１参照）。
【０１２２】
これにより、シール部４１５を、基材２２２，３３３同士における両側の重ね合わせ部分に対して長手方向Ｌに連続して形成するとともに、基材２２２，３３３同士における両側の重ね合わせ部分が縦シールされた筒状の筒状包装体４１４を長手方向Ｌに連続して形成しながら横シール工程ｉの横シール装置４７へ供給する（図１０、図１１参照）。
【０１２３】
充填工程ｈにおいて、充填装置４６の充填管４６１から供給される内容物Ｃを、縦シール工程ｇにおいて筒状に形成された筒状包装体４１４内に上方から充填しながら、内容物Ｃが充填された筒状包装体４１４を横シール工程ｉの横シール装置４７へ供給する（図１０、図１１参照）。
【０１２４】
横シール工程ｉにおいて、縦シール工程ｇから供給される縦シールされた筒状包装体４１４を、横シール装置４７における一対の横シールロール４７１の間に対して上方から挟み込むとともに、一対の横シールロール４７１の回転により送り方向Ｆに向けて縦送りする（図１０、図１２参照）。
【０１２５】
筒状包装体４１４における基材２２２，３３３同士の短手方向Ｓに重ね合わされた部分を、一方の横シールロール４７１のシート押圧部４７４と、他方の横シールロール４７１のフィルム押圧部４７５とで押圧し、押圧部４７４，４７５で押圧された基材２２２，３３３同士の短手方向Ｓに重ね合わされた部分を、基材２２２の張り出した部分と反対の方向に向けて突出された断面略弧形状に変形する（図１０、図１２参照）。
【０１２６】
一方の基材２２２を、一方の横シールロール４７１の横押圧部４７２により約７０℃に加熱し、他方の基材３３３を、他方の横シールロール４７１の横押圧部４７２により約１３０℃に加熱して、基材２２２，３３３同士の重ね合わされた部分を断面略弧形状に変形したまま短手方向Ｓに溶着して横シールする（図１０、図１２参照）。
【０１２７】
筒状包装体４１４を、一対の横シールロール４７１の回転により１個分の折曲げ開封包装体１Ａと対応する移送量だけ送り方向Ｆに向けて順次縦送りするとともに、断面略弧形状に変形されたシール部４１６を、基材２２２，３３３同士の重ね合わされた部分に対して短手方向Ｓに形成する（図１０、図１２参照）。
【０１２８】
シール部４１６にて隔離された袋状の収容部４を、筒状包装体４１４の長手方向Ｌに所定間隔を隔てて多数形成するとともに、収容部４が形成された筒状包装体４１４を分断工程ｊの分断装置４８へ供給する（図１０、図１２参照）。
【０１２９】
分断工程ｊにおいて、横シール工程ｉから供給される縦シール及び横シールされた筒状包装体４１４を、分断装置４８における回転刃４８１と受けロール４８４との間に対して上方から挟み込むとともに、回転刃４８１及び受けロール４８４の回転により送り方向Ｆへ縦送りしながら、筒状包装体４１４のシール部４１５，４１６を、回転刃４８１の縦刃４８２と横刃４８３とでそれぞれ分断する（図１０、図１３参照）。
【０１３０】
すなわち、筒状包装体４１４におけるシール部４１５を、回転刃４８１の縦刃４８２により長手方向Ｌに連続して分断するとともに、筒状包装体４１４におけるシール部４１６を、回転刃４８１の横刃４８３により下から順に短手方向Ｓに分断する（図１０、図１３参照）。
【０１３１】
筒状包装体４１４における両側の重ね合わせ部分に形成されたシール部４１５の短手方向Ｓの中央部を、回転刃４８１の縦刃４８２により長手方向Ｌに連続して分断するとともに、筒状包装体４１４における収容部４の上下に形成されたシール部４１６の長手方向Ｌの中央部を、回転刃４８１の横刃４８３により長手方向Ｌと直交する方向に順次分断する。  
これにより、筒状包装体４１４を、所定量の内容物Ｃが充填された個々の折曲げ開封包装体１Ａに分離する（図１０、図１３参照）。
【０１３２】
上述の製造方法を用いて製造することにより、多数の折曲げ開封包装体１Ａを連続して製造することができる。  
なお、折曲げ開封包装体１Ａが分離された筒状包装体４１４の切残り片４１７は、ロール状に巻回して回収する。
【０１３３】
以下、上述の折曲げ開封包装体１Ａにおけるその他の例について説明する。この説明において、前記構成と同一または同等の部位については同一の符号を記してその詳しい説明を省略する。
【０１３４】
（実施例２）  
実施例１ではシート部材２の長辺側両縁部を略直線状に形成した折曲げ開封包装体１Ａについて説明したが、実施例２では、図１４に示すように、シート部材２の長辺側両縁部に凹状に窪んだ窪み部２２を形成した折曲げ開封包装体１Ａについて説明する。
【０１３５】
図１４は実施例２の折曲げ開封包装体１Ａの説明図であり、詳しくは、図１４（ａ）は折曲げ開封包装体１Ａを切込み１７側から見た斜視図、図１４（ｂ）は折曲げ開封包装体１Ａの平面図である。
【０１３６】
実施例２の折曲げ開封包装体１Ａは、平面視略弧状に湾曲する折曲げ罫線２１１を、シート部材２における切込み１７が形成された部分を中心として放射状に付設している。シート部材２には、平面視略Ｖ字状に窪んだ窪み部２２を、シート部材２における折曲げ部１５と対応する長辺側両縁部の中央部に対して、短手方向Ｓの両端部から中央部に向けて凹状に窪んだ形状に形成している。
【０１３７】
シート部材２の長辺側両縁部に形成した窪み部２２の谷部が、シート部材２の長辺側両縁部より短手方向Ｓの内側に入り込んでいるため、折曲げ開封包装体１Ａを収容部４が下向きとなるようにして略平坦な載置部に置いた際に、シート部材２の長辺側両縁部に形成した窪み部２２と載置部との間に隙間が形成されやすく、手の指又は爪を窪み部２２から折曲げ開封包装体１Ａの下側へ挿入することができる。
【０１３８】
これにより、手の指や爪をシート部材２の窪み部２２に引っ掛けるだけで、略平坦な載置部に置かれた折曲げ開封包装体１Ａを簡単に取り上げることができる。  
しかも、シート部材２における窪み部２２を形成した部分の横幅が、窪み部２２が形成されてない部分より幅狭となるため、折曲げ部１５の剛性が他の部分に比べて弱く、折曲げ開封包装体１Ａの折り曲げが容易に行える。  
また、窪み部２２を、シート部材２における短辺側両縁部の中央部に形成してもよく、実施例１に加えた作用及び効果を奏することができる。
【０１３９】
（実施例３）  
実施例１，２では収容部４をシール部４１５，４１６より高くなるように形成した折曲げ開封包装体１Ａについて説明したが、実施例３では、図１５に示すように、収容部４をシール部４１５，４１６と同一高さに形成した折曲げ開封包装体１Ａについて説明する。
【０１４０】
図１５は実施例３の折曲げ開封包装体１Ａの説明図であり、詳しくは、図１５（ａ）はフィルム部材３における収容部４と対応する外面をシール部４１５，４１６と同一高さに形成した断面図、図１５（ｂ）はシール部４１５，４１６をシート部材２の外周縁部より外側に突出した断面図である。
【０１４１】
実施例３の折曲げ開封包装体１Ａは、フィルム部材３における収容部４と対応する外面を、シール部４１５，４１６と同一高さとなるように形成している（図１５（ａ）参照）。また、シール部４１５，４１６をシート部材２の外周縁部より外側に向けて突出してもよい（図１５（ｂ）参照）。
【０１４２】
これにより、二つ折り状態に折曲げ可能な構造を保ちながら、所定量の内容物Ｃを収容部４に収容することが可能な容積を確保することができるため、実施例１，２に加えた作用及び効果を奏することができる。
【０１４３】
なお、図１５（ｂ）の折曲げ開封包装体１Ａは、シート部材２を、１枚のフィルム部材３を二つ折りして形成するか、あるいは、２枚のフィルム部材３を貼り合わせて形成した包装体本体１ａの片面に貼り合わせている。
【０１４４】
（実施例４）  
実施例１〜３では１個の折曲げ開封包装体１Ａについて説明したが、実施例４では、図１６に示すように、複数の折曲げ開封包装体１Ａを折り畳み可能に連設した例について説明する。
【０１４５】
図１６は実施例４の折曲げ開封包装体１Ａの説明図であり、詳しくは、図１６（ａ）は連設型の折曲げ開封包装体１Ａの平面図、図１６（ｂ）は二つ折り状態に折り畳まれた折曲げ開封包装体１Ａを短手方向Ｓの中央部で分断した断面図である。
【０１４６】
実施例４の折曲げ開封包装体１Ａは、並列に配置された隣り合う折曲げ開封包装体１Ａの長辺側縁部同士を可撓可能な連設部２３で連設して、連設された折曲げ開封包装体１Ａ同士を収容部４が向い合せとなるように折り畳み可能に構成している。
【０１４７】
折曲げ開封包装体１Ａのシート部材２には、平面視略弧状に湾曲する折曲げ罫線２１１を、シート部材２における切込み１７が形成された部分を中心として放射状に付設している（図１６（ａ）（ｂ）参照）。
【０１４８】
折曲げ開封包装体１Ａ同士を収容部４が向い合せとなるように折り畳んだ際に、収容部４が内側に挟み込まれるため、例えば輸送中や運搬中等において、収容部４と対応するフィルム部材３の表面が汚れたり、傷付いたりすることをより確実に防止でき、清潔かつ衛生的な状態を保つことができる。
【０１４９】
しかも、収容部４のフィルム部材３が破れたり、穴が開いたりしにくく、収容部４に収容された内容物Ｃが外部に漏洩することを防止できるため、実施例１〜３に加えた作用及び効果を奏することができる。
【０１５０】
実施例４では２個の折曲げ開封包装体１Ａを折り畳み可能に連設した例について説明したが、２個以上の折曲げ開封包装体１Ａを折り畳み可能に連設してもよい。また、２個の折曲げ開封包装体１Ａの隣り合う短辺側縁部同士を折り畳み可能に連設してもよい。
【０１５１】
（実施例５）  
実施例１〜４では平面視略矩形に形成した折曲げ開封包装体１Ａについて説明したが、実施例５では、図１７に示すように、実施例１の折曲げ開封包装体１Ａより幅狭で縦長に形成した折曲げ開封包装体１Ｂについて説明する。
【０１５２】
図１７は実施例５の折曲げ開封包装体１Ｂの説明図であり、詳しくは、図１７（ａ）は折曲げ開封包装体１Ｂの平面図、図１７（ｂ）は折曲げ開封包装体１Ｂを短手方向Ｓの中央部で分断した断面図である。
【０１５３】
実施例５の折曲げ開封包装体１Ｂは、平面視略弧状に湾曲する折曲げ罫線２１１を、シート部材２における切込み１７が形成された部分を中心として放射状に付設している（図１７（ａ）参照）。
【０１５４】
折曲げ開封包装体１Ｂを収容部４が下向きとなるようにして略平坦な載置部（図示せず）に置いた際に、収容部４より外側斜め下方に向けて突出したシール部４１５，４１６が載置部に接地される（図１７（ｂ）参照）。  
これにより、収容部４が載置部に対して所定間隔を隔てられた状態に支持されるため、収容部４と対応するフィルム部材３の外面が載置部に接触することを回避できる。
【０１５５】
しかも、所定の折曲げ角度θ１以下に折曲げられるまでは、封止材１８による封止が解除されず、収容部４に収容された内容物Ｃが外部に漏洩することを防止できるため、実施例１〜４に加えた作用及び効果を奏することができる。
【０１５６】
（実施例６）  
実施例１〜５ではシート部材２の曲率半径が大きい折曲げ開封包装体１Ａについて説明したが、実施例６では、図１８に示すように、シート部材２の曲率半径が小さい折曲げ開封包装体１Ａについて説明する。  
図１８は実施例６の折曲げ開封包装体１Ａを短手方向Ｓの中央部で分断した断面図である。
【０１５７】
実施例６の折曲げ開封包装体１Ａは、シート部材２を、実施例１〜４のシート部材２に比べて曲率半径が小径となる形状に形成しているため、折曲げ開封包装体１Ａを収容部４が下向きとなるようにして略平坦な載置部に置いた際に、収容部４と対応するフィルム部材３が載置部に対してより間隔を隔てた状態に支持される（図１８参照）。
【０１５８】
これにより、手の指や物等が収容部４のフィルム部材３に強く当接したり、大きな衝撃が付与されることをより確実に防止できるとともに、フィルム部材３が破れたり、穴が開いたりしにくくなるため、実施例１〜５に加えた作用及び効果を奏することができる。
【０１５９】
（実施例７）  
実施例１〜６では平面視略矩形に形成した折曲げ開封包装体１Ａについて説明したが、実施例７では、図１９に示すように、平面視略瓢箪形に形成した折曲げ開封包装体１Ｃについて説明する。  
図１９は実施例７の折曲げ開封包装体１Ｃの平面図である。
【０１６０】
実施例７の折曲げ開封包装体１Ｃは、平面視略瓢箪形に形成されたシート部材２及びフィルム部材３の対向する外周縁部を接合して、シール部４１８を部材２，３同士の対向する外周縁部に形成している。シート部材２における折曲げ部１５の両側縁部には、平面視略弧状の窪み部２２Ｃを、短手方向Ｓの中央部に向けて窪んだ形状に形成している（図１９参照）。
【０１６１】
シート部材２には、平面視略弧状に湾曲する折曲げ罫線２１１を、シート部材２における折曲げ部１５の両側縁部と封止材１８の両側縁部との間に対して、シート部材２における切込み１７が形成された部分を中心として放射状に付設している（図１９参照）。
【０１６２】
折曲げ開封包装体１Ｃを収容部４が下向きとなるようにして略平坦な載置部に置いた際に、収容部４より外側斜め下方に向けて突出したシール部４１８が載置部に接地され、収容部４が載置部に対して所定間隔を隔てられた状態に支持されるため、収容部４と対応するフィルム部材３の外面が載置部に接触することを回避できる。
【０１６３】
これにより、折曲げ開封包装体１Ｃの両縁部に形成された窪み部２２と載置部との間に隙間が形成されやすく、手の指や爪を、折曲げ開封包装体１Ｃの両縁部に形成された隙間から挿入して窪み部２２Ｃに引っ掛けるだけで、略平坦な載置部に置かれた折曲げ開封包装体１Ｃを簡単に取り上げることができる。
【０１６４】
しかも、折曲げ開封包装体１Ａを二つ折り状態に折り曲げて、シート部材２の切込み１７を開口した際に、シート部材２を短手方向Ｓの中央部に向けて押圧する押圧動作に伴い、シート部材２を放射状に付設された４本の折曲げ罫線２１１に沿って折り曲げ、切込み１７における４本の折曲げ罫線２１１と対応する部分を外側に向けて山状に突出された状態に変形させる。
【０１６５】
これにより、シート部材２の切込み１７を偏平状態に開口する構造に比べて、切込み１７を内容物Ｃの取り出しが可能な大きさにより確実に開口することができる。  
この結果、顆粒状や錠剤状の内容物Ｃが取り出しやすく、所望量の内容物Ｃを大きく開口された切込み１７から確実かつスムーズに取り出すことができるため、実施例１〜６に加えた作用及び効果を奏することができる。
【０１６６】
（実施例８）  
実施例１〜６では平面視略矩形に形成した折曲げ開封包装体１Ａ，１Ｂについて説明したが、実施例８では、図２０に示すように、平面視略ドーナツ形状に形成した折曲げ開封包装体１Ｄについて説明する。
【０１６７】
図２０は実施例８の折曲げ開封包装体１Ｄの説明図であり、詳しくは、図２０（ａ）は折曲げ開封包装体１Ｄの平面図、図２０（ｂ）は折曲げ開封包装体１Ｄを径方向の中央部で分断した断面図である。
【０１６８】
実施例８の折曲げ開封包装体１Ｄは、平面視略ドーナツ形状に形成されたシート部材２及びフィルム部材３の対向する内周縁部と外周縁部とを接合して、内周縁部に形成したシール部４１５ａと、外周縁部に形成したシール部４１６ａとの間に、環状の収容部４を周方向に連続して形成している（図２０（ａ）（ｂ）参照）。
【０１６９】
折曲げ部１５と、開封領域１６と、切込み１７と、封止材１８とを、シート部材２におけるシール部４１５ａ，４１６ａ間の表面に設けている。平面視略弧状に湾曲する折曲げ罫線２１１を、シート部材２における折曲げ部１５の両側縁部と切込み１７の両側周辺部との間に対して、シート部材２における切込み１７が形成された部分を中心として放射状に付設している（図２０（ａ）参照）。
【０１７０】
折曲げ開封包装体１Ｄの収容部４を、シート部材２における収容部４より外側斜め下方に向けて突出したシール部４１６ａより内側に形成しているため、手の指や物等がシール部４１６ａに当接しやすく、収容部４と対応するフィルム部材３に対して強く当接されることを回避できる。
【０１７１】
しかも、折曲げ開封包装体１Ｄを収容部４が下向きとなるようにして略平坦な載置部に置いた際に、収容部４より外側斜め下方に向けて突出したシール部４１６ａが載置部に接地され、収容部４が載置部に対して所定間隔を隔てられた状態に支持されるため、収容部４と対応するフィルム部材３の外面が載置部に接触することを回避できる。
【０１７２】
さらに、手の指を、平面視略ドーナツ形状に形成されたシート部材２のシール部４１５ａに下側から引っ掛けるだけで、略平坦な載置部に置かれた折曲げ開封包装体１Ａを簡単に取り上げることができる。
【０１７３】
さらにまた、折曲げ開封包装体１Ｄを二つ折り状態に折り曲げて、シート部材２の切込み１７を開口した際に、シート部材２を短手方向Ｓに押圧する押圧動作に伴い、シート部材２を放射状に付設された４本の折曲げ罫線２１１に沿って折り曲げるとともに、切込み１７における４本の折曲げ罫線２１１と対応する部分を外側に向けて山状に突出された状態に変形させる。
【０１７４】
これにより、シート部材２の切込み１７を偏平状態に開口する構造に比べて、切込み１７をより確実に大きく開口することができる。  
この結果、顆粒状や錠剤状の内容物Ｃが取り出しやすく、所望量の内容物Ｃを大きく開口された切込み１７から確実かつスムーズに取り出すことができるため、実施例１〜７に加えた作用及び効果を奏することができる。
【０１７５】
上述の実施例１〜８では平面視略弧状の折曲げ罫線２１１を付設した折曲げ開封包装体１Ａ〜１Ｄについて説明したが、以下の実施例９〜１２では、図２１〜図２４に示すように、平面視略直線状の折曲げ罫線２１２を付設するか、あるいは、平面視略弧状の折曲げ罫線２１１を組み合わせて付設した折曲げ開封包装体１Ｅ，１Ｆ，１Ｇ，１Ｈについて説明する。
【０１７６】
（実施例９）  
図２１は実施例９の折曲げ開封包装体１Ｅの説明図であり、詳しくは、図２１（ａ）は折曲げ罫線２１２を中央部に付設した折曲げ開封包装体１Ｅの概略平面図、図２１（ｂ）は折曲げ開封包装体１Ｅを短手方向Ｓに押圧した状態の拡大図、図２１（ｃ）は（ｂ）の折曲げ開封包装体１Ｅを切込み１７側から見た拡大平面図である。
【０１７７】
実施例９の折曲げ開封包装体１Ｅは、平面視略直線状の折曲げ罫線２１２を、シート部材２における短辺側両縁部に形成されたシール部４１６の中央縁部と、切込み１７におけるシール部４１６の中央縁部と対応する中央周辺部との間に対して、シート部材２の長手方向Ｌと平行してシート部材２の短手方向Ｓの中央部に付設するとともに、折曲げ罫線２１２を折曲げ罫線２１と直交する方向に向けて付設している（図２１（ａ）参照）。
【０１７８】
封止材１８を、シート部材２における開封領域１６内の表面に対して切込み１７を覆うように圧着するとともに、折曲げ罫線２１，２１２における切込み１７の周辺部に付設された端部を覆うように圧着している（図２１（ａ）参照）。
【０１７９】
折曲げ開封包装体１Ｅは、シート部材２を短手方向Ｓに押圧する押圧動作に伴い、シート部材２を中央部に付設された折曲げ罫線２１２に沿って折り曲げるとともに、切込み１７における折曲げ罫線２１２と対応する部分を外側に向けて山状に突出された状態に変形させる（図２１（ｂ）参照）。
【０１８０】
すなわち、切込み１７における中央の部分を外側に向けて山状に突出された状態に変形させるため、シート部材２の切込み１７を偏平状態に開口する構造に比べて、切込み１７における中央の部分をより確実に大きく開口することができる（図２１（ｃ）参照）。
【０１８１】
この結果、顆粒状や錠剤状の大きな内容物Ｃが取り出しやすく、所望量の内容物Ｃを切込み１７からより確実かつスムーズに取り出すことができるため、実施例１〜８に加えた作用及び効果を奏することができる。
【０１８２】
（実施例１０）  
図２２は実施例１０の折曲げ開封包装体１Ｆの説明図であり、詳しくは、図２２（ａ）は折曲げ罫線２１１，２１２を付設した折曲げ開封包装体１Ｆの概略平面図、図２２（ｂ）は折曲げ開封包装体１Ｆを短手方向Ｓに押圧した状態の拡大図、図２２（ｃ）は（ｂ）の折曲げ開封包装体１Ｆを切込み１７側から見た拡大平面図である。
【０１８３】
実施例１０の折曲げ開封包装体１Ｆは、平面視略弧状に湾曲する折曲げ罫線２１１を、シート部材２の切込み１７を中心として放射状に付設し、平面視略直線状の折曲げ罫線２１２を、シート部材２の短手方向Ｓの中央部に付設するとともに、折曲げ罫線２１１，２１２を折曲げ罫線２１と直交する方向に向けてそれぞれ付設している（図２２（ａ）参照）。
【０１８４】
封止材１８を、シート部材２における開封領域１６内の表面に対して切込み１７を覆うように圧着するとともに、折曲げ罫線２１，２１１，２１２における切込み１７の周辺部に付設された端部を覆うように圧着している（図２２（ａ）参照）。
【０１８５】
折曲げ開封包装体１Ｆは、上述の押圧動作に伴い、シート部材２を放射状に付設された折曲げ罫線２１１と、略直線状に付設された折曲げ罫線２１２とに沿って折り曲げるとともに、切込み１７における折曲げ罫線２１１，２１２と対応する複数箇所の部分を、外側に向けて山状に突出された状態に変形させる（図２２（ｂ）参照）。
【０１８６】
すなわち、実施例１〜８の折曲げ開封包装体１Ａ〜１Ｄや、上述の折曲げ開封包装体１Ｅに比べて、折曲げ開封包装体１Ｆに付設された折曲げ罫線２１１，２１２の本数が多いため、シート部材２の切込み１７を偏平状態に開口する構造に比べて、シート部材２を短手方向Ｓに向けて変形させやすく、切込み１７をより確実に大きく開口することができる（図２２（ｃ）参照）。
【０１８７】
この結果、顆粒状や錠剤状の大きな内容物Ｃが取り出しやすく、所望量の内容物Ｃを切込み１７からより確実かつスムーズに取り出すことができるため、実施例１〜８に加えた作用及び効果を奏することができる。
【０１８８】
（実施例１１）  
図２３は実施例１１の折曲げ開封包装体１Ｇの説明図であり、詳しくは、図２３（ａ）は３本の折曲げ罫線２１２を並列に付設した折曲げ開封包装体１Ｇの概略平面図、図２３（ｂ）は折曲げ開封包装体１Ｇを短手方向Ｓに押圧した状態の拡大図、図２３（ｃ）は（ｂ）の折曲げ開封包装体１Ｇを切込み１７側から見た拡大平面図である。
【０１８９】
実施例１１の折曲げ開封包装体１Ｇは、折曲げ罫線２１２を、シート部材２における短辺側両縁部に形成されたシール部４１６の中央縁部と、切込み１７におけるシール部４１６の中央縁部と対応する中央周辺部との間に対して、シート部材２の長手方向Ｌと平行してシート部材２の短手方向Ｓに所定間隔を隔てて３本付設するとともに、折曲げ罫線２１２を折曲げ罫線２１と直交する方向に向けてそれぞれ付設している（図２３（ａ）参照）。
【０１９０】
封止材１８を、シート部材２における開封領域１６内の表面に対して切込み１７を覆うように圧着するとともに、折曲げ罫線２１，２１２における切込み１７の周辺部に付設された端部を覆うように圧着している（図２３（ａ）参照）。
【０１９１】
折曲げ開封包装体１Ｇは、上述の押圧動作に伴い、シート部材２を所定間隔に隔てて付設された３本の折曲げ罫線２１２に沿って折り曲げるとともに、切込み１７における折曲げ罫線２１２と対応する複数箇所の部分を、外側に向けて山状に突出された状態に変形させる（図２３（ｂ）参照）。
【０１９２】
すなわち、切込み１７における短手方向Ｓに所定間隔を隔てられた複数箇所の部分を等間隔で変形させるため、上述の折曲げ開封包装体１Ｆに比べて、折曲げ開封包装体１Ｇの切込み１７を略矩形に近い大きさ及び形状に開口することができるとともに、シート部材２を短手方向Ｓに向けて変形させやすく、切込み１７を略均等に開口することができる（図２３（ｃ）参照）。
【０１９３】
この結果、顆粒状や錠剤状の大きな内容物Ｃが取り出しやすく、所望量の内容物Ｃを略均等に開口された切込み１７からより確実かつスムーズに取り出すことができるため、実施例１〜８に加えた作用及び効果を奏することができる。
【０１９４】
（実施例１２）  
図２４は実施例１２の折曲げ開封包装体１Ｈの説明図であり、詳しくは、図２４（ａ）は折曲げ罫線２１１に加え３本の折曲げ罫線２１２を並列に付設した折曲げ開封包装体１Ｈの概略平面図、図２４（ｂ）は折曲げ開封包装体１Ｈを短手方向Ｓに押圧した状態の拡大図、図２４（ｃ）は（ｂ）の折曲げ開封包装体１Ｈを切込み１７側から見た拡大平面図である。
【０１９５】
実施例１２の折曲げ開封包装体１Ｈは、平面視略弧状に湾曲する折曲げ罫線２１１を、シート部材２の切込み１７を中心として放射状に付設し、平面視略直線状の折曲げ罫線２１２を、シート部材２の短手方向Ｓに所定間隔を隔てて３本付設するとともに、折曲げ罫線２１１，２１２を折曲げ罫線２１と直交する方向に向けてそれぞれ付設している（図２４（ａ）参照）。
【０１９６】
封止材１８を、シート部材２における開封領域１６内の表面に対して切込み１７を覆うように圧着するとともに、折曲げ罫線２１，２１１，２１２における切込み１７の周辺部に付設された端部を覆うように圧着している（図２４（ａ）参照）。
【０１９７】
折曲げ開封包装体１Ｈは、上述の押圧動作に伴い、シート部材２を放射状に付設された折曲げ罫線２１１と、略直線状に付設された３本の折曲げ罫線２１２とに沿って折り曲げるとともに、切込み１７における折曲げ罫線２１１，２１２と対応する複数箇所の部分を外側に向けて山状に突出された状態に変形させる（図２４（ｂ）参照）。
【０１９８】
すなわち、上述の折曲げ開封包装体１Ｆ，１Ｇに比べて、折曲げ開封包装体１Ｈに付設された折曲げ罫線２１１，２１２の本数が多く、折曲げ罫線２１１，２１２間の付設間隔も狭いため、シート部材２を短手方向Ｓに向けてより変形させやすいだけでなく、上述の折曲げ開封包装体１Ｆ，１Ｇに比べて、切込み１７をより確実に大きく開口することができる（図２４（ｃ）参照）。
【０１９９】
この結果、顆粒状や錠剤状の大きな内容物Ｃが取り出しやすく、所望量の内容物Ｃを切込み１７からより確実かつスムーズに取り出すことができるため、実施例１〜８に加えた作用及び効果を奏することができる。
【０２００】
（実施例１３）  
実施例１〜１２では、二つ折り状態に折り曲げて切込み１７を開口する折曲げ開封包装体１Ａ〜１Ｈについて説明したが、実施例１３では、図２５に示すように、切込み１７をテコの原理により大きく開口する折曲げ開封包装体１Ａについて説明する。
【０２０１】
図２５は実施例１３の折曲げ開封包装体１Ａの説明図であり、詳しくは、図２５（ａ）は凸部２ｃ同士を当接した折曲げ開封包装体１Ａの側面図、図２５（ｂ）は切込み１７をより大きく開口した状態の折曲げ開封包装体１Ａの側面図、図２５（ｃ）は凸部２ｃ同士を当接した折曲げ開封包装体１Ａの他の例の側面図である。
【０２０２】
実施例１３の折曲げ開封包装体１Ａは、二つ折り状態に折り曲げた際に当接される側面視略半円形状の凸部２ｃを、シート部材２における折曲げ方向Ｇに対向する裏面側に２箇所設けている（図２５（ａ）参照）。
【０２０３】
折曲げ開封包装体１Ａを二つ折り状態に折り曲げた際に、シート部材２の凸部２ｃ同士が互いに当接された部分を支点とし、シート部材２の遊端側を力点として、テコの原理によって、作用点に相当する折曲げ部１５に対して大きな引っ張り力が付与される（図２５（ｂ）参照）。
【０２０４】
これにより、力点に付与する折曲げ力が小さくても、シート部材２の切込み１７をより大きく開口することができる。
【０２０５】
この結果、顆粒状や錠剤状の大きな内容物Ｃであっても、所望量の内容物Ｃを大きく開口された切込み１７からスムーズに取り出すことができるため、実施例１〜１２に加えた作用及び効果を奏することができる。
【０２０６】
また、凸部２ｃを、シート部材２における折曲げ部１５寄りの一部を裏面側に突出するとともに、シート部材２における折曲げ部１５寄りの裏面側に２箇所設けてもよい（図２５（ｃ）参照）。  
なお、実施例１３では凸部２ｃを２箇所設けた例を説明したが、いずれか一方の面に１箇所設けてもよい。
【０２０７】
この発明の構成と、前記実施形態との対応において、  
この発明の開封部は、実施形態の切込み１７に対応し、  
以下同様に、  
第１折曲げ罫線は、折曲げ罫線２１に対応し、  
第２折曲げ罫線は、折曲げ罫線２１１，２１２に対応するも、  
この発明は、上述の実施形態の構成のみに限定されるものではなく、請求項に示される技術思想に基づいて応用することができ、多くの実施の形態を得ることができる。
【０２０８】
上述の実施例１〜１２では、折曲げ罫線２１，２１１，２１２をシート部材２の表裏両面のうち一方の面（表面）に付設した例について説明したが、例えば折曲げ罫線２１をシート部材２の一方の面（表面）に付設し、折曲げ罫線２１１，２１２をシート部材２の他方の面（裏面）に付設してもよい。また、折曲げ罫線２１，２１１，２１２における切込み１７の周辺部に向けて延びる端部を、封止材１８の周縁部１８ｂより外側に付設してもよい。
【０２０９】
また、切込み１７の両側端部と折曲げ罫線２１との短手方向Ｓに隣り合う端部間を所定間隔（０．５ｍｍ以上）に隔てているが、例えば折曲げ部１５に形成された切込み１７と、切込み１７の周辺部に付設された折曲げ罫線２１１，２１２の端部との間を所定間隔（０．５ｍｍ以上）に隔ててもよい。
【０２１０】
さらに、シート部材２の肉厚を０．１５ｍｍ〜０．７ｍｍの範囲に含まれる肉厚に形成しているが、例えば内容物Ｃを収容する収容部４の容量、収容部４に収容される内容物Ｃの重量、折曲げ開封包装体１Ａ〜１Ｈの大きさや形状に応じてシート部材２の肉厚を選定してもよい。
【０２１１】
さらにまた、フィルム部材３の肉厚を０．０５ｍｍ〜０．１５ｍｍの範囲に含まれる肉厚に形成しているが、実施例１〜１３の折曲げ開封包装体１Ａ〜１Ｈより容量が大きい包装体を製造する場合、上述の肉厚以上の厚みに形成されたフィルム部材３を用いて製造してもよい。
【０２１２】
さらにまた、１つの収容部４を折曲げ開封包装体１Ａ〜１Ｈに形成しているが、例えば複数の収容部４を１つの折曲げ開封包装体１Ａ〜１Ｈに形成してもよい。  
なお、例えばガスバリア性、防湿性、芳香性等を必要とする内容物Ｃを封入する場合、内容物Ｃの特性や物性に対応した材質のフィルムを複合化して用いる。  
【０２１３】
さらにまた、内容物Ｃに関連した表示内容（例えば文字や図柄、イラスト等）を、シート部材２に印刷する場合、シート部材２を覆う図示しないフィルムに印刷した後、シート部材２にラミネート加工してもよい。  
さらにまた、切込み１７を、例えば直線形状、弧形状、波形状、二山形状、Ｍ字形状、Ｖ字形状等に形成してもよい。
【符号の説明】
【０２１４】
Ｌ…長手方向
Ｓ…短手方向
Ｔ…厚み方向
Ｇ…折曲げ方向
Ｆ…送り方向
Ｃ…内容物
１Ａ〜１Ｈ…折曲げ開封包装体
１ａ…包装体本体
２…シート部材
３…フィルム部材
４…収容部
１５…折曲げ部
１６…開封領域
１７…切込み
１８…封止材
１９…凹部
２０…凸部
２１，２１１，２１２…折曲げ罫線
２４…突出部
４１５ａ，４１６ａ…シール部
４１５，４１６，４１８…シール部
【図１】
2018167871.tif 000003
【図２】
2018167871.tif 000004
【図３】
2018167871.tif 000005
【図４】
2018167871.tif 000006
【図５】
2018167871.tif 000007
【図６】
2018167871.tif 000008
【図７】
2018167871.tif 000009
【図８】
2018167871.tif 000010
【図９】
2018167871.tif 000011
【図１０】
2018167871.tif 000012
【図１１】
2018167871.tif 000013
【図１２】
2018167871.tif 000014
【図１３】
2018167871.tif 000015
【図１４】
2018167871.tif 000016
【図１５】
2018167871.tif 000017
【図１６】
2018167871.tif 000018
【図１７】
2018167871.tif 000019
【図１８】
2018167871.tif 000020
【図１９】
2018167871.tif 000021
【図２０】
2018167871.tif 000022
【図２１】
2018167871.tif 000023
【図２２】
2018167871.tif 000024
【図２３】
2018167871.tif 000025
【図２４】
2018167871.tif 000026
【図２５】
2018167871.tif 000027